(57)【要約】      （修正有）【課題】放射線検出パネルの破損を抑制できる放射線検出装置を提供する。【解決手段】放射線検出装置は、放射線検出パネルと、支持部材３と、複数の電力供給部と、筐体と、複数の電力供給部よりも突出して支持部材３の第２面１１に設けられており、筐体の底に当接する複数のスペーサと、を備え、複数の電力供給部は、第２面１１の面内における第１方向Ｘに間隔をあけて配置される第１電力供給部２０と、第２電力供給部２１とを含み、複数のスペーサは、第２面の面内における第２方向Ｙに第１電力供給部２０及び第２電力供給部２１を挟む一対のスペーサ２２含み、一対のスペーサ２２は、第１電力供給部２０と第２電力供給部２１との間を第１方向Ｘに一続きに横断している。【選択図】図３
2019113404.tif 000002
【特許請求の範囲】
【請求項１】
放射線検出パネルと、
前記放射線検出パネルが第１面側に配置される支持部材と、
前記支持部材の前記第１面とは反対側の第２面に接合される複数の電力供給部と、
前記放射線検出パネルと、前記支持部材と、前記複数の電力供給部とを収容する筐体と、
前記複数の電力供給部よりも突出して前記第２面に設けられており、前記第２面に対向する前記筐体の底に当接する複数のスペーサと、
を備え、
前記複数の電力供給部は、前記第２面の面内における第１方向に間隔をあけて配置される第１電力供給部と、第２電力供給部とを含み、
前記複数のスペーサは、前記第２面の面内において前記第１方向と交差する第２方向に前記第１電力供給部を挟み且つ前記第１電力供給部の前記第１方向両側の端部を越えて延び、さらに前記第２方向に前記第２電力供給部を挟み且つ前記第２電力供給部の前記第１方向両側の端部を越えて前記第１方向に延びる一対のスペーサを含み、
前記一対のスペーサを前記第２方向に見た場合に、前記一対のスペーサは、前記第１電力供給部と前記第２電力供給部との間を前記第１方向に一続きに横断している放射線検出装置。
【請求項２】
放射線検出パネルと、
前記放射線検出パネルが第１面側に配置される支持部材と、
前記支持部材の前記第１面とは反対側の第２面に接合される複数の電力供給部と、
前記放射線検出パネルと、前記支持部材と、前記複数の電力供給部とを収容する筐体と、
前記複数の電力供給部よりも突出して前記第２面に設けられており、前記第２面に対向する前記筐体の底に当接する複数のスペーサと、
を備え、
前記複数の電力供給部は、前記第２面の面内における第１方向に間隔をあけて配置される第１電力供給部と、第２電力供給部とを含み、
前記複数のスペーサは、前記第２面の面内において前記第１方向と交差する第２方向に前記第１電力供給部を挟み且つ前記第１電力供給部の前記第１方向両側の端部を越えて前記第１方向に延びる一対の第１スペーサと、前記第２方向に前記第２電力供給部を挟み且つ前記第２電力供給部の前記第１方向両側の端部を越えて前記第１方向に延びる一対の第２スペーサと、を含み、
前記一対の第１スペーサと前記一対の第２スペーサとを前記第２方向に見た場合に、少なくとも一方の第１スペーサと、少なくとも一方の第２スペーサとは、前記第１電力供給部と前記第２電力供給部との間を前記第１方向に一続きに横断している放射線検出装置。
【請求項３】
請求項２記載の放射線検出装置であって、
少なくとも一方の第１スペーサと、少なくとも一方の第２スペーサとは、前記第２方向に互いにずれて配置されており、前記第２方向に互いに重なり合うオーバーラップ部を有する放射線検出装置。
【請求項４】
請求項３記載の放射線検出装置であって、
前記第１電力供給部の前記第２方向の寸法は、前記第２電力供給部の前記第２方向の寸法より大きい放射線検出装置。
【請求項５】
請求項４記載の放射線検出装置であって、
前記第１電力供給部は、前記一対の第２スペーサのうち少なくとも一方の第２スペーサと前記第２電力供給部との間のギャップと前記第１方向に重なって配置されている放射線検出装置。
【請求項６】
請求項３記載の放射線検出装置であって、
前記第１電力供給部と、前記第２電力供給部とは、前記第２方向に互いにずれて配置されている放射線検出装置。
【請求項７】
請求項６記載の放射線検出装置であって、
前記第１電力供給部は、前記一対の第２スペーサのうち一方の第２スペーサと前記第２電力供給部との間のギャップと前記第１方向に重なって配置されており、
前記第２電力供給部は、前記一対の第１スペーサのうち一方の第１スペーサと前記第１電力供給部との間のギャップと前記第１方向に重なって配置されている放射線検出装置。
【請求項８】
請求項３から７のいずれか一項記載の放射線検出装置であって、
前記第１電力供給部と前記一対の第１スペーサとは、前記第２面に一体に且つ着脱可能に接合されるモジュールを構成しており、
前記第２電力供給部と前記一対の第２スペーサとは、前記第２面に一体に且つ着脱可能に接合されるモジュールを構成している放射線検出装置。
【請求項９】
請求項１から８のいずれか一項記載の放射線検出装置であって、
前記複数の電力供給部それぞれの前記第２面との接合面は、当該接合面の全体に亘って前記第２面に接合されている放射線検出装置。
【請求項１０】
請求項１から９のいずれか一項記載の放射線検出装置であって、
前記複数の電力供給部それぞれのケースは金属製である放射線検出装置。
【発明の詳細な説明】
【技術分野】
【０００１】
本発明は、放射線検出装置に関する。
【背景技術】
【０００２】
被写体の放射線画像の取得に、いわゆるＦＰＤ（Flat Panel Detector）が用いられている。ＦＰＤは、例えば、入射する放射線の放射線量に応じた蛍光を発するシンチレータと、シンチレータの蛍光を検出する画素が二次元状に配列された検出基板とを備える。被写体を透過した放射線がシンチレータに入射し、シンチレータに生じる蛍光が画素によって電気信号に変換され、各画素から出力される電気信号に基づいて被写体の放射線画像データが生成される。
【０００３】
そして、ＦＰＤを備える放射線検出装置として、ＦＰＤと、ＦＰＤに電力を供給するバッテリとが筐体に収容され、可搬に構成された、いわゆる電子カセッテも知られている（例えば、特許文献１参照）。
【０００４】
特許文献１に記載された放射線画像検出装置は、ＦＰＤである検出器パネルと、検出器パネルに電力を供給する充電池と、一方の面に検出器パネルが取り付けられ且つ他方の面に充電池が取り付けられた基台と、検出器パネル、充電池及び基台を収容する筐体とを備える。
【先行技術文献】
【特許文献】
【０００５】
【特許文献１】特開２００７−２２６８３４号公報
【発明の概要】
【発明が解決しようとする課題】
【０００６】
電子カセッテは、例えばベッドに横臥する被写体とベッドとの間に挿入されて用いられ、電子カセッテには被写体の荷重が作用する。電子カセッテに作用する荷重に起因し、筐体と、筐体に収容されているＦＰＤとに変形が生じ、ＦＰＤの破損が懸念される。
【０００７】
特許文献１に記載された放射線画像検出装置では、一つの充電池が基台の中央部に設置され、又は二つの充電池が基台の対角線上に設置されており、充電池の基台に対する取付面とは反対側の面が筐体の底に当接し、基台は充電池によって支持されている。充電池は一般的に強固であり、また、充電池の取付面は比較的広く、基台が充電池によって支持されることにより、基台の撓みが抑制され、基台に取り付けられたＦＰＤの撓みも抑制さている。
【０００８】
しかし、充電池の取付面と接する基台の接触領域は取付面に押し付けられる。このため、基台は、接触領域を含めて緩やかに撓むことが制限され、取付面の縁に沿って折れ曲がる虞がある。二つの充電池が基台の対角線上に設置される場合にも、各充電池の取付面の外周における基台の折り曲げは解消されず、ＦＰＤの破損が懸念される。
【０００９】
本発明は、上述した事情に鑑みなされたものであり、放射線検出パネルの破損を抑制できる放射線検出装置を提供することを目的とする。
【課題を解決するための手段】
【００１０】
本発明の一態様の放射線検出装置は、放射線検出パネルと、上記放射線検出パネルが第１面側に配置される支持部材と、上記支持部材の上記第１面とは反対側の第２面に接合される複数の電力供給部と、上記放射線検出パネルと、上記支持部材と、上記複数の電力供給部とを収容する筐体と、上記複数の電力供給部よりも突出して上記第２面に設けられており、上記第２面に対向する上記筐体の底に当接する複数のスペーサと、を備え、上記複数の電力供給部は、上記第２面の面内における第１方向に間隔をあけて配置される第１電力供給部と、第２電力供給部とを含み、上記複数のスペーサは、上記第２面の面内において上記第１方向と交差する第２方向に上記第１電力供給部を挟み且つ上記第１電力供給部の上記第１方向両側の端部を越えて延び、さらに上記第２方向に上記第２電力供給部を挟み且つ上記第２電力供給部の上記第１方向両側の端部を越えて上記第１方向に延びる一対のスペーサを含み、上記一対のスペーサを上記第２方向に見た場合に、上記一対のスペーサは、上記第１電力供給部と上記第２電力供給部との間を上記第１方向に一続きに横断している。
【００１１】
また、本発明の一態様の放射線検出装置は、放射線検出パネルと、上記放射線検出パネルが第１面側に配置される支持部材と、上記支持部材の上記第１面とは反対側の第２面に接合される複数の電力供給部と、上記放射線検出パネルと、上記支持部材と、上記複数の電力供給部とを収容する筐体と、上記複数の電力供給部よりも突出して上記第２面に設けられており、上記第２面に対向する上記筐体の底に当接する複数のスペーサと、を備え、上記複数の電力供給部は、上記第２面の面内における第１方向に間隔をあけて配置される第１電力供給部と、第２電力供給部とを含み、上記複数のスペーサは、上記第２面の面内において上記第１方向と交差する第２方向に上記第１電力供給部を挟み且つ上記第１電力供給部の上記第１方向両側の端部を越えて上記第１方向に延びる一対の第１スペーサと、上記第２方向に上記第２電力供給部を挟み且つ上記第２電力供給部の上記第１方向両側の端部を越えて上記第１方向に延びる一対の第２スペーサと、を含み、上記一対の第１スペーサと上記一対の第２スペーサとを上記第２方向に見た場合に、少なくとも一方の第１スペーサと、少なくとも一方の第２スペーサとは、上記第１電力供給部と上記第２電力供給部との間を上記第１方向に一続きに横断している。
【発明の効果】
【００１２】
本発明によれば、放射線検出パネルの破損を抑制できる放射線検出装置を提供することができる。
【図面の簡単な説明】
【００１３】
【図１】本発明の実施形態を説明するための、放射線検出装置の一例の斜視図である。
【図２】図１の放射線検出装置のII−II線断面図である。
【図３】図１の放射線検出装置の複数の電力供給部及び複数のスペーサの設置例を模式的に示す平面図である。
【図４】図１の放射線検出装置の複数の電力供給部及び複数のスペーサの他の設置例を模式的に示す平面図である。
【図５】図１の放射線検出装置の複数の電力供給部及び複数のスペーサの他の設置例を模式的に示す平面図である。
【図６】図１の放射線検出装置の変形例を模式的に示す平面図である。
【発明を実施するための形態】
【００１４】
図１及び図２は、本発明の実施形態を説明するための、放射線検出装置の一例を示す。
【００１５】
図１及び図２に示す放射線検出装置１は、いわゆる電子カセッテであり、Ｘ線等の放射線を検出する放射線検出パネル２と、支持部材３と、放射線検出パネル２に電力を供給する複数の電力供給部４と、放射線検出パネル２、支持部材３及び複数の電力供給部４を収容する筐体５と、を備える。
【００１６】
筐体５は、直方体状に形成されており、典型的には国際規格ＩＳＯ（International Organization for Standardization）４０９０：２００１に準拠した大きさに形成される。筐体５を形成する材料は、耐荷重性に加えて軽量化を両立可能な材料が好ましく、比重が３．０以下でかつヤング率が１．８ＧＰａ以上を満たす、マグネシウム合金、アルミニウム合金、繊維強化樹脂、ＣＮＦ（セルロースナノファイバー）強化樹脂、樹脂等である。筐体５の天板６には矩形状の開口が形成されており、この開口には、放射線に対して透過性を有する透過板７が取り付けられている。
【００１７】
放射線検出パネル２は、シンチレータ８と検出基板９とを有し、筐体５の内部で透過板７の背後に配置されている。シンチレータ８は、ＣｓＩ：Ｔｌ（タリウム賦活ヨウ化セシウム）又はＧＯＳ（Ｇｄ２Ｏ２Ｓ：Ｔｂ、テルビウム賦活ガドリウムオキシサルファイド）等の蛍光体を含有し、入射する放射線の放射線量に応じた蛍光を発する。検出基板９は、二次元状に配列された複数の画素を有し、これらの画素によってシンチレータ８に生じる蛍光を検出し、検出した蛍光を電気信号に変換する。
【００１８】
なお、本例では、シンチレータ８と検出基板９とは、筐体５の透過板７側からシンチレータ８、検出基板９の順に積層されているが、透過板７側から検出基板９、シンチレータ８の順に積層されてもよい。また、信号電荷を生成する検出基板９の各画素の光導電膜が例えばアモルファスセレンからなり、放射線を信号電荷に直接変換する直接変換型の放射線検出パネルが用いられてもよい。
【００１９】
支持部材３は、板状の部材であり、矩形状に形成されている。なお、本明細書において、矩形状は、角が直角の四角形に限定されず、角に面取り又は角丸めが施された四角形も含むものとする。支持部材３は、筐体５の天板６に対向して配置される第１面１０と、第１面１０とは反対側の第２面１１とを有し、放射線検出パネル２は、支持部材３の第１面１０側に配置されている。なお、放射線検出パネル２は、支持部材３に貼り付けられてもよいし、筐体５の天板６及び透過板７に貼り付けられてもよい。支持部材３を形成する材料は、耐荷重性に加えて軽量化を両立可能な材料が好ましく、比重が３．０以下でかつヤング率が１．８ＧＰａ以上を満たす、マグネシウム合金、アルミニウム合金、繊維強化樹脂、ＣＮＦ（セルロースナノファイバー）強化樹脂、樹脂等である。
【００２０】
複数の電力供給部４は、支持部材の３の第２面１１に接合されている。電力供給部４は、例えばリチウムイオン二次電池等の充電可能な電池であり、又は電気二重層キャパシタ、リチウムイオンキャパシタ等のキャパシタである。なお、図示は省略するが、支持部材３の第２面１１には回路基板も接合される。回路基板には、検出基板９の駆動を制御する駆動制御回路、検出基板９から出力される電気信号を処理する信号処理回路、外部との通信を行うための通信回路、電源回路等が形成されている。回路基板の電力も複数の電力供給部４から供給される。
【００２１】
放射線検出装置１は、複数のスペーサ１２をさらに備える。複数のスペーサ１２は、複数の電力供給部４よりも突出して支持部材３の第２面１１に設けられており、第２面１１に対向する筐体５の底１３に当接している。複数の電力供給部４と筐体５の底１３との間には隙間があけられており、支持部材３は、複数の電力供給部４ではなく、複数のスペーサ１２によって支持されており、筐体５の天板６に加わる荷重は、支持部材３及び複数のスペーサ１２を経て筐体５の底１３に伝わる。
【００２２】
複数のスペーサ１２は、支持部材３と一体に形成されてもよく、支持部材３がアルミニウム合金、マグネシウム合金等の金属材料からなる場合に、鋳造、鍛造等によって支持部材３と一体に形成され、また、支持部材３が繊維強化樹脂等の樹脂材料からなる場合に、真空成形等によって支持部材３と一体に形成され得る。また、複数のスペーサ１２は、支持部材３とは別体に形成され、支持部材３に接合されてもよく、この場合、スペーサ１２の材料は特に限定されない。また、複数のスペーサ１２は、エラストマ等の緩衝材を介して筐体５の底１３に接してもよい。
【００２３】
放射線検出装置１において、複数の電力供給部４は、支持部材３の機械的強度を高め、支持部材３の撓みを抑制する補強部材としても用いられている。支持部材３を補強する観点から、好ましくは、複数の電力供給部４それぞれの支持部材３の第２面１１との接合面１４は、接合面１４の全体に亘って第２面１１に接合される。接合面１４と第２面１１とは、例えば両面テープ等の粘着材によって接合される。また、支持部材３を補強する観点から、好ましくは、複数の電力供給部４それぞれのケースは金属製である。
【００２４】
図３は、複数の電力供給部４及び複数のスペーサ１２の設置例を示す。
【００２５】
複数の電力供給部４は、支持部材３の第２面１１の面内における第１方向Ｘに間隔をあけて配置される第１電力供給部２０と、第２電力供給部２１とを含む。
【００２６】
上記のとおり、複数の電力供給部４は支持部材３の撓みを抑制する補強部材としても用いられている。そして、矩形状に形成されている支持部材３では、短辺よりも長辺が撓み易い。そこで、好ましくは、矩形状の支持部材３の第２面１１の短辺に沿う方向を第１方向Ｘとし、第２面１１の面内において第１方向Ｘと交差する方向であって第２面１１の長辺に沿う方向を第２方向Ｙとして、第１電力供給部２０及び第２電力供給部２１は第２方向Ｙにそれぞれ延び、第１電力供給部２０及び第２電力供給部２１の第２方向Ｙの寸法（長さ）Ｌは、第１方向Ｘの寸法（幅）Ｗよりも大きい。これにより、支持部材３の撓みを効果的に抑制できる。
【００２７】
複数のスペーサ１２は、一対のスペーサ２２を含む。一対のスペーサ２２の厚みＴは、第１電力供給部２０及び第２電力供給部２１それぞれの長さＬ及び幅Ｗよりも小さい。そして、一対のスペーサ２２は、第１電力供給部２０を第２方向Ｙに挟み且つ第１電力供給部２０の第１方向両側の端部を越えて第１方向Ｘに延びている。さらに、一対のスペーサ２２は、第２電力供給部２１を第２方向Ｙに挟み且つ第２電力供給部２１の第１方向両側の端部を越えて第１方向Ｘに延びている。すなわち、一対のスペーサ２２を第２方向Ｙに見た場合に、一対のスペーサ２２は、第１電力供給部２０と第２電力供給部２１との間を第１方向Ｘに一続きに横断している。
【００２８】
換言すれば、一対のスペーサ２２を、第１電力供給部２０と第２電力供給部２１との間で一対の第１スペーサ２３と、一対の第２スペーサ２４とに区分した場合に、一対の第１スペーサ２３は第１電力供給部２０を第２方向Ｙに挟み且つ第１電力供給部２０の第１方向両側の端部を越えて第１方向Ｘに延びており、一対の第２スペーサ２４は、第２電力供給部２１を第２方向Ｙに挟み且つ第２電力供給部２１の第１方向両側の端部を越えて第１方向Ｘに延びている。そして、一対の第１スペーサ２３と、一対の第２スペーサ２４とは、第１電力供給部２０及び第２電力供給部２１に対して同じ側に位置するスペーサ同士、一体に形成されており、一体に形成された第１スペーサ２３と第２スペーサ２４とは、第１電力供給部２０と第２電力供給部２１との間を第１方向Ｘに一続きに横断している。
【００２９】
一対のスペーサ２２が第１電力供給部２０と第２電力供給部２１との間を第１方向Ｘに一続きに横断していることから、第１電力供給部２０の第２電力供給部２１側の縁及び／又は第２電力供給部２１の第１電力供給部２０側の縁に沿って支持部材３が折れ曲がることが抑制される。これにより、放射線検出パネル２の破損を抑制できる。
【００３０】
なお、複数の電力供給部４は、第１方向Ｘに間隔をあけて第１電力供給部２０又は第２電力供給部２１の隣に配置される第３電力供給部を含んでもよく、この場合に、一対のスペーサ２２は、第１電力供給部２０及び第２電力供給部２１に加えて第３電力供給部を第２方向Ｙに挟み且つ第３電力供給部の第１方向両側の端部を越えて第１方向Ｘに延ばされる。
【００３１】
図４は、複数の電力供給部４及び複数のスペーサ１２の他の設置例を示す。
【００３２】
複数の電力供給部４は、支持部材３の第２面１１の面内における第１方向Ｘに間隔をあけて配置される第１電力供給部３０と、第２電力供給部３１とを含む。なお、図４に示す例では、矩形状の支持部材３の第２面１１の長辺に沿う方向が第１方向Ｘとされ、第２面１１の面内において第１方向Ｘと交差する方向であって第２面１１の短辺に沿う方向が第２方向Ｙとされている。
【００３３】
また、図４に示す例では、第１電力供給部３０の第１方向Ｘの寸法Ｗ１と、第２電力供給部３１の第１方向Ｘの寸法Ｗ２とは互いに等しいが、第１電力供給部３０の第２方向Ｙの寸法Ｌ１と、第２電力供給部３１の第２方向Ｙの寸法Ｌ２とは互いに異なり、Ｌ１＞Ｌ２である。相対的に小さい第２電力供給部３１は、例えば予備であり、放射線検出パネル２の電力は主として第１電力供給部３０から供給され、第１電力供給部３０が尽きた場合等に、第２電力供給部３１から放射線検出パネル２に電力が供給される。
【００３４】
複数のスペーサ１２は、第２方向Ｙに第１電力供給部３０を挟む一対の第１スペーサ３２（スペーサ３２ａ及びスペーサ３２ｂ）と、一対の第１スペーサ３２とは別体であり且つ第２方向Ｙに第２電力供給部３１を挟む一対の第２スペーサ３３（スペーサ３３ａ及びスペーサ３３ｂ）とを含む。一対の第１スペーサ３２は、第１電力供給部３０の第１方向両側の端部を越えて第１方向Ｘに延びている。一対の第２スペーサ３３は、第２電力供給部３１の第１方向両側の端部を越えて第１方向Ｘに延びている。
【００３５】
相対的に大きい第１電力供給部３０を挟む一対の第１スペーサ３２は、相対的に小さい第２電力供給部３１を挟む一対の第２スペーサよりも第２方向外側に配置されている。すなわち、一対の第１スペーサ３２のうち一方のスペーサ３２ａと、一対の第２スペーサ３３のうち、第１電力供給部３０及び第２電力供給部３１に対してスペーサ３２ａと同じ側に位置する一方のスペーサ３３ａとは、第２方向Ｙに互いにずれて配置されている。また、一対の第１スペーサ３２のうち他方のスペーサ３２ｂと、一対の第２スペーサ３３のうち他方のスペーサ３３ｂとは第２方向Ｙに互いにずれて配置されている。
【００３６】
そして、スペーサ３２ａとスペーサ３３ａとは、第２方向Ｙに互いに重なり合うオーバーラップ部３４をそれぞれ有しており、スペーサ３２ａとスペーサ３３ａとを第２方向Ｙに見た場合に、スペーサ３２ａとスペーサ３３ａとは、第１電力供給部３０と第２電力供給部３１との間を第１方向Ｘに一続きに横断している。
【００３７】
スペーサ３２ａとスペーサ３３ａとが第１電力供給部３０と第２電力供給部３１との間を第１方向Ｘに一続きに横断していることから、第１電力供給部３０の第２電力供給部３１側の縁及び／又は第２電力供給部３１の第１電力供給部３０側の縁に沿って支持部材３が折れ曲がることが抑制される。これにより、放射線検出パネル２の破損を抑制できる。
【００３８】
図４に示す例では、スペーサ３２ｂとスペーサ３３ｂもまた、第２方向Ｙに互いに重なり合うオーバーラップ部３４をそれぞれ有しており、スペーサ３２ｂとスペーサ３３ｂとを第２方向Ｙに見た場合に、スペーサ３２ｂとスペーサ３３ｂとは、第１電力供給部３０と第２電力供給部３１との間を第１方向Ｘに一続きに横断している。これにより、第１電力供給部３０の第２電力供給部３１側の縁及び／又は第２電力供給部３１の第１電力供給部３０側の縁に沿って支持部材３が折れ曲がることを一層抑制できる。
【００３９】
なお、一対の第１スペーサ３２のうち一方のスペーサ３２ａと、一対の第２スペーサ３３のうち、第１電力供給部３０及び第２電力供給部３１に対してスペーサ３２ａとは反対側に位置する一方のスペーサ３３ｂとが、第２方向Ｙに互いに重なり合うオーバーラップ部３４をそれぞれ有してもよい。
【００４０】
好ましくは、相対的に大きい第１電力供給部３０は、一対の第２スペーサ３３のうち一方の第２スペーサ（スペーサ３３ａ又はスペーサ３３ｂ）と第２電力供給部３１との間にあけられている一方のギャップＧと第１方向Ｘに重なって配置され、より好ましくは、図４に示すように、一対の第２スペーサ３３（スペーサ３３ａ及びスペーサ３３ｂ）それぞれと第２電力供給部３１との間にあけられている両方のギャップＧと第１方向Ｘに重なって配置される。これらのギャップＧにおける支持部材３の撓みを、補強部材としての第１電力供給部３０の剛性を利用して抑制できる。
【００４１】
図５は、複数の電力供給部４及び複数のスペーサ１２の他の設置例を示す。
【００４２】
複数の電力供給部４は、支持部材３の第２面１１の面内における第１方向Ｘに間隔をあけて配置される第１電力供給部４０と、第２電力供給部４１とを含む。そして、図５に示す例では、第１電力供給部４０と、第２電力供給部４１とは第２面１１の面内における第２方向Ｙに互いにずれて配置されている。
【００４３】
複数のスペーサ１２は、第２方向Ｙに第１電力供給部４０を挟む一対の第１スペーサ４２（スペーサ４２ａ及びスペーサ４２ｂ）と、一対の第１スペーサ４２とは別体であり且つ第２方向Ｙに第２電力供給部４１を挟む一対の第２スペーサ４３（スペーサ４３ａ及びスペーサ４３ｂ）とを含む。一対の第１スペーサ４２は、第１電力供給部４０の第１方向両側の端部を越えて第１方向Ｘに延びている。一対の第２スペーサ４３は、第２電力供給部４１の第１方向両側の端部を越えて第１方向Ｘに延びている。
【００４４】
第１電力供給部４０と、第２電力供給部４１とが第２方向Ｙに互いにずれて配置されていることから、第１電力供給部４０を挟む一対の第１スペーサ４２と、第２電力供給部４１を挟む一対の第２スペーサ４３もまた第２方向Ｙに互いにずれて配置されている。一対の第１スペーサ４２のうち一方のスペーサ４２ａと、一対の第２スペーサ４３のうち、第１電力供給部４０及び第２電力供給部４１に対してスペーサ４２ａと同じ側に位置する一方のスペーサ４３ａとは、第２方向Ｙに互いにずれて配置されている。また、一対の第１スペーサ４２のうち他方のスペーサ４２ｂと、一対の第２スペーサ４３のうち他方のスペーサ４３ｂとは第２方向Ｙに互いにずれて配置されている。
【００４５】
そして、一対の第１スペーサ４２のうち一方のスペーサ４２ａと、一対の第２スペーサ４３のうち、第１電力供給部４０及び第２電力供給部４１に対してスペーサ４２ａと同じ側に位置する一方のスペーサ４３ａとは、第２方向Ｙに互いに重なり合うオーバーラップ部４４をそれぞれ有しており、スペーサ４２ａとスペーサ４３ａとを第２方向Ｙに見た場合に、スペーサ４２ａとスペーサ４３ａとは、第１電力供給部４０と第２電力供給部４１との間を第１方向Ｘに一続きに横断している。
【００４６】
スペーサ４２ａとスペーサ４３ａとが第１電力供給部４０と第２電力供給部４１との間を第１方向Ｘに一続きに横断していることから、第１電力供給部４０の第２電力供給部４１側の縁及び／又は第２電力供給部４１の第１電力供給部４０側の縁に沿って支持部材３が折れ曲がることが抑制される。これにより、放射線検出パネル２の破損を抑制できる。
【００４７】
図５に示す例では、スペーサ４２ｂとスペーサ４３ｂもまた、第２方向Ｙに互いに重なり合うオーバーラップ部４４をそれぞれ有しており、スペーサ４２ｂとスペーサ４３ｂとを第２方向Ｙに見た場合に、スペーサ４２ｂとスペーサ４３ｂとは、第１電力供給部４０と第２電力供給部４１との間を第１方向Ｘに一続きに横断している。これにより、第１電力供給部４０の第２電力供給部４１側の縁及び／又は第２電力供給部４１の第１電力供給部４０側の縁に沿って支持部材３が折れ曲がることを一層抑制できる。
【００４８】
なお、一対の第１スペーサ４２のうち一方のスペーサ４２ａと、一対の第２スペーサ４３のうち、第１電力供給部４０及び第２電力供給部４１に対してスペーサ４２ａとは反対側に位置する一方のスペーサ４３ｂとが、第２方向Ｙに互いに重なり合うオーバーラップ部４４をそれぞれ有してもよい。
【００４９】
好ましくは、第１電力供給部４０は、一対の第２スペーサ４３のうち一方のスペーサ４３ａと第２電力供給部４１との間にあけられているギャップＧ２と第１方向Ｘに重なって配置され、第２電力供給部４１は、一対の第１スペーサ４２のうち一方のスペーサ４２ｂと第１電力供給部４０との間にあけられているギャップＧ１と第１方向Ｘに重なって配置される。ギャップＧ１における支持部材３の撓みを、補強部材としての第２電力供給部４１の剛性を利用して抑制でき、ギャップＧ２における支持部材３の撓みを、補強部材としての第１電力供給部４０の剛性を利用して抑制できる。
【００５０】
なお、例えば図５に示した複数の電力供給部４及び複数のスペーサ１２の設置例において、第１電力供給部４０と一対の第１スペーサ４２とは、支持部材３の第２面１１に一体に且つ着脱可能に接合されるモジュールを構成してもよく、第２電力供給部４１と一対の第２スペーサ４３とは、支持部材３の第２面１１に一体に且つ着脱可能に接合されるモジュールを構成してもよい。図６に示す例では、第１電力供給部４０と一対の第１スペーサ４２とは、基板４５に接合されることによってモジュール化されており、基板４５を介して支持部材３の第２面１１に一体に且つ着脱可能に接合される。第２電力供給部４１と一対の第２スペーサ４３もまた、同様に、基板４６に接合されることによってモジュール化されている。
【００５１】
以上、説明したとおり、本明細書に開示された放射線検出装置は、放射線検出パネルと、上記放射線検出パネルが第１面側に配置される支持部材と、上記支持部材の上記第１面とは反対側の第２面に接合される複数の電力供給部と、上記放射線検出パネルと、上記支持部材と、上記複数の電力供給部とを収容する筐体と、上記複数の電力供給部よりも突出して上記第２面に設けられており、上記第２面に対向する上記筐体の底に当接する複数のスペーサと、を備え、上記複数の電力供給部は、上記第２面の面内における第１方向に間隔をあけて配置される第１電力供給部と、第２電力供給部とを含み、上記複数のスペーサは、上記第２面の面内において上記第１方向と交差する第２方向に上記第１電力供給部を挟み且つ上記第１電力供給部の上記第１方向両側の端部を越えて延び、さらに上記第２方向に上記第２電力供給部を挟み且つ上記第２電力供給部の上記第１方向両側の端部を越えて上記第１方向に延びる一対のスペーサを含み、上記一対のスペーサを上記第２方向に見た場合に、上記一対のスペーサは、上記第１電力供給部と上記第２電力供給部との間を上記第１方向に一続きに横断している。
【００５２】
また、本明細書に開示された放射線検出装置は、放射線検出パネルと、上記放射線検出パネルが第１面側に配置される支持部材と、上記支持部材の上記第１面とは反対側の第２面に接合される複数の電力供給部と、上記放射線検出パネルと、上記支持部材と、上記複数の電力供給部とを収容する筐体と、上記複数の電力供給部よりも突出して上記第２面に設けられており、上記第２面に対向する上記筐体の底に当接する複数のスペーサと、を備え、上記複数の電力供給部は、上記第２面の面内における第１方向に間隔をあけて配置される第１電力供給部と、第２電力供給部とを含み、上記複数のスペーサは、上記第２面の面内において上記第１方向と交差する第２方向に上記第１電力供給部を挟み且つ上記第１電力供給部の上記第１方向両側の端部を越えて上記第１方向に延びる一対の第１スペーサと、上記第２方向第２方向に上記第２電力供給部を挟み且つ上記第２電力供給部の上記第１方向両側の端部を越えて上記第１方向に延びる一対の第２スペーサと、を含み、上記一対の第１スペーサと上記一対の第２スペーサとを上記第２方向に見た場合に、少なくとも一方の第１スペーサと、少なくとも一方の第２スペーサとは、上記第１電力供給部と上記第２電力供給部との間を上記第１方向に一続きに横断している。
【００５３】
また、本明細書に開示された放射線検出装置は、少なくとも一方の第１スペーサと、少なくとも一方の第２スペーサとは、上記第２方向に互いにずれて配置されており、上記第２方向に互いに重なり合うオーバーラップ部を有する。
【００５４】
また、本明細書に開示された放射線検出装置は、上記第１電力供給部の上記第２方向の寸法は、上記第２電力供給部の上記第２方向の寸法よりも大きい。
【００５５】
また、本明細書に開示された放射線検出装置は、上記第１電力供給部は、上記一対の第２スペーサのうち少なくとも一方の第２スペーサと上記第２電力供給部との間のギャップと上記第１方向に重なって配置されている。
【００５６】
また、本明細書に開示された放射線検出装置は、上記第１電力供給部と、上記第２電力供給部とは、上記第２方向に互いにずれて配置されている。
【００５７】
また、本明細書に開示された放射線検出装置は、上記第１電力供給部は、上記一対の第２スペーサのうち一方の第２スペーサと上記第２電力供給部との間のギャップと上記第１方向に重なって配置されており、上記第２電力供給部は、上記一対の第１スペーサのうち一方の第１スペーサと上記第１電力供給部との間のギャップと上記第１方向に重なって配置されている。
【００５８】
また、本明細書に開示された放射線検出装置は、上記第１電力供給部と上記一対の第１スペーサとは、上記第２面に一体に且つ着脱可能に接合されるモジュールを構成しており、上記第２電力供給部と上記一対の第２スペーサとは、上記第２面に一体に且つ着脱可能に接合されるモジュールを構成している。
【００５９】
また、本明細書に開示された放射線検出装置は、上記複数の電力供給部それぞれの上記第２面との接合面は、この接合面の全体に亘って上記第２面に接合されている。
【００６０】
また、本明細書に開示された放射線検出装置は、上記複数の電力供給部それぞれのケースは金属製である。
【符号の説明】
【００６１】
１  放射線検出装置
２  放射線検出パネル
３  支持部材
４  電力供給部
５  筐体
６  筐体の天板
７  透過板
８  シンチレータ
９  検出基板
１０  支持部材の第１面
１１  支持部材の第２面
１２  スペーサ
１３  筐体の底
１４  電力供給部の接合面
２０  第１電力供給部
２１  第２電力供給部
２２  スペーサ
２３  第１スペーサ
２４  第２スペーサ
３０  第１電力供給部
３１  第２電力供給部
３２  第１スペーサ
３２ａ  スペーサ
３２ｂ  スペーサ
３３  第２スペーサ
３３ａ  スペーサ
３３ｂ  スペーサ
３４  オーバーラップ部
４０  第１電力供給部
４１  第２電力供給部
４２  第１スペーサ
４２ａ  スペーサ
４２ｂ  スペーサ
４３  第２スペーサ
４３ａ  スペーサ
４３ｂ  スペーサ
４４  オーバーラップ部
４５  基板
４６  基板
Ｇ  ギャップ
Ｇ１  ギャップ
Ｇ２  ギャップ
Ｌ  寸法（長さ）
Ｌ１  寸法
Ｌ２  寸法
Ｗ  幅
Ｗ  寸法（幅）
Ｗ１  寸法
Ｗ２  寸法
Ｘ  第１方向
Ｙ  第２方向
【図１】
2019113404.tif 000003
【図２】
2019113404.tif 000004
【図３】
2019113404.tif 000005
【図４】
2019113404.tif 000006
【図５】
2019113404.tif 000007
【図６】
2019113404.tif 000008